(57)【要約】      （修正有）【課題】ネットワークノードの容易なコミッショニングを可能にする方法を提供する。【解決手段】通信ネットワークにおいて通信するよう構成される送受信機を有する通信装置を動作する方法であって、第１の通信モードにより、ロールプロファイルの組から選択され、オペレーションフェーズの通信ネットワークにおける通信装置のロールを規定する選択ロールプロファイルを得るステップを含む構成フェーズ、並びに選択ロールプロファイルに依存して第１の通信モードにより通信装置の送受信機が通信できないようにするステップ及び第２の通信モードを用いて通信ネットワークにおいて通信するステップ、を含む、オペレーションフェーズを有する。【選択図】なし【特許請求の範囲】
【請求項１】
通信ネットワークにおいて通信するよう構成される送受信機を有する通信装置を動作する方法であって、
（ａ１）前記通信装置は、第１の通信モードにより、ロールプロファイルの組から選択される選択ロールプロファイルを得るステップであって、前記選択ロールプロファイルは、オペレーションフェーズの前記通信ネットワークにおける該通信装置のロールを規定する、ステップ、
を含む、構成フェーズ、並びに
（ｂ１）前記通信装置は、前記選択ロールプロファイルに依存して前記第１の通信モードにより該通信装置の送受信機が通信できないようにするステップ、及び
（ｂ２）前記通信装置は、第２の通信モードを用いて前記通信ネットワークにおいて通信するステップ、
を含む、オペレーションフェーズ、
を有する方法。
【請求項２】
前記ステップ（ｂ１）は、前記選択ロールプロファイルが端末装置プロファイルである場合、前記送受信機が前記第１の通信モードで通信できないようにするステップを有する、請求項１に記載の方法。
【請求項３】
前記ステップ（ｂ１）は、前記選択ロールプロファイルがルータプロファイルである場合、前記送受信機が前記第１の通信モードで通信することを維持するステップを有し、前記ステップ（ｂ２）は、前記通信装置が前記第１の通信モードを用いて前記通信ネットワークにおいて通信するステップを有する、請求項１又は２に記載の方法。
【請求項４】
前記ステップ（ｂ２）において、前記第１の通信モードは、前記通信装置及びネットワークコントローラ間で通信するのに用いられ、前記第２の通信モードは、前記通信装置及び前記通信ネットワークの他の通信装置間で通信するのに用いられる、請求項３に記載の方法。
【請求項５】
前記ステップ（ａ１）は、前記通信装置がパラメータ値の組を決定するステップ、及び該通信装置の前記選択ロールプロファイルの選択のため該パラメータ値の組をネットワークコントローラに送信するステップを有する、請求項１乃至４のいずれか一項に記載の方法。
【請求項６】
前記パラメータ値の組は、識別子、近隣通信装置の識別子、地理位置情報詳細、前記第１の通信モードのリンク品質及び前記第２の通信モードのリンク品質のうちの少なくとも一つを含む、請求項５に記載の方法。
【請求項７】
前記構成フェーズは、前記通信ネットワークが構成されるコミッショニングフェーズのため又は少なくとも無線ノードが再構成される更新フェーズのためトリガされる、請求項１乃至６のいずれか一項に記載の方法。
【請求項８】
前記第１の通信モードは、前記第２の通信モードより長距離のものである、請求項１乃至７のいずれか一項に記載の方法。
【請求項９】
前記第１の通信モードは、ＧＰＲＳ、ＵＭＴＳ、ＣＤＭＡ２０００及びＬＴＥの通信技術のうちの一つである、請求項１乃至８のいずれか一項に記載の方法。
【請求項１０】
前記第２の通信モードは、ＩＥＥＥ ８０２．１５．４又は電力線通信に基づく、請求項１乃至９のいずれか一項に記載の方法。
【請求項１１】
前記通信ネットワークは、照明ネットワークである、請求項１乃至１０のいずれか一項に記載の方法。
【請求項１２】
通信ネットワークにおいて通信するよう構成される送受信機を有する通信装置であって、前記送受信機は、構成フェーズにおいて、第１の通信モードにより、ロールプロファイルの組から選択される選択ロールプロファイルを得る、及びオペレーションフェーズにおいて、第２の通信モードを用いて前記通信ネットワークにおいて通信するよう構成され、当該通信装置は、オペレーションフェーズにおいて、前記通信ネットワークにおいて前記選択ロールプロファイルにしたがって作用する、及び該オペレーションフェーズにおいて、前記選択ロールプロファイルに依存して前記第１の通信モードにより前記送受信機が通信できないようにするプロセッサを有する、通信装置。
【請求項１３】
請求項１２に記載の通信装置を有する照明器具であって、当該照明器具の動作が、前記通信装置が受信するコマンドにより制御される、照明器具。
【請求項１４】
請求項１２に記載の少なくとも一つの通信装置及びネットワークコントローラを有する通信ネットワーク。
【発明の詳細な説明】
【技術分野】
【０００１】
本発明は、通信装置を動作する方法及び通信ネットワークに関する。
【０００２】
本発明は、例えば、無線であってもよい、斯かる通信装置を備えた照明器具、並びに照明ネットワークにおける斯かる通信装置のコミッショニング及びオペレーティング方法に関連する。とりわけ、本発明は、屋外照明ネットワークに適用され得る。
【背景技術】
【０００３】
通信ネットワーク、例えば、照明ネットワーク等のオートメーションのための無線ネットワークの開発が高まっていて、StarSense Wireless、StarSense Powerline又はCityTouch CTCを含むこの分野における多くの製品が、市街地に又は道路に沿って設置されている。ビジネス上の提案は、照明装置のマネージメントは光熱費を下げることにつながり、また再構成(reconfiguration)、さらには他のサービスを可能にするということである。
【０００４】
照明通信ネットワークの場合、コミッショニング又はメンテナンス（ソフトウェア更新、トポロジ更新等）は、通常重要な取組みを表す。これは、屋外照明制御、すなわち、ノード（又は屋外照明コントローラ(Outdoor Lighting Controller (OLC))）がハイウェイ上で５ｍの高さの街灯柱に配置される装置であり得る、通信プロトコルによる屋外照明装置のマネージメントの場合にいっそう厳しくなる。したがって、手作業でなされる場合、設置及びコミッショニング費用は高い。
【０００５】
いくつかのシステムにおいて、各ランプは、通信リンクがＩＥＥＥ８０２．１５．４に基づく及び通信スタックが例えば６ＬｏＷＰＡＮ／ＣｏＡＰ又は適切なスタックに基づく大きなメッシュネットワークを形成するＯＬＣにより制御される。ネットワークは、６ＬｏＷＰＡＮネットワークをインターネットと接続するセグメントコントローラによりバックエンドからマネージされる。斯くして、この解決策では、ＯＬＣは、ＣＰＵ及び８０２．１５．４に基づく通信インタフェースを含む。
【０００６】
斯かるシステムにおいて、コミッショニングフェーズ(commissioning phase)又は更新フェーズ(update phase)等の構成フェーズ(configuration phase)中、各ランプは、（時には有線ネットワークでさえによって）インストーラがノード付近に届く必要がある特別なコミッショニングツールとデータを交換する。コミッショニングツールは、各コミッショニングされるノードの位置を決定するためＧＰＳチップセットを有してもよい。
【０００７】
他のシステムにおいて、各屋外照明コントローラがＧＰＳ及びＧＰＲＳモジュールを備えることが提案されている。設置後、各通信装置は、構成情報を交換し、コミッショニングプロセスを実行するためＧＰＲＳによりネットワークコントローラに直接接続する。斯かるネットワークは、特定のコミッショニングプロセスを必要としないシンプルなコミッショニング及びシンプルなアセットマネージメントを考えて設計されている。各ＯＬＣはＧＰＲＳ及びＧＰＳモジュールを持つので、ＯＬＣは、設置後ただ通信を始めることができ、対応する装置は、自動的にネットワークコントローラに現れ、制御されることができる。
【０００８】
斯かる解決策の利点は、設置プロセス及び構成フェーズが、先に述べたシステムよりシンプルなことである。さらに、コミッショニングプロセスは、より安価になる見込みである。なぜなら、インストーラがオンサイトでコミッショニングを実行する必要がないからである。斯かる通信装置は、設置及びマネージメントが容易ではあるが、装置の全生涯中通信装置毎にアクティブなＧＰＲＳリンクを必要とする。大きなネットワークのための斯かるリンクは、ネットワークのオペレーションフェーズ上で莫大な管理コストを示す。
【発明の概要】
【発明が解決しようとする課題】
【０００９】
本発明の目的は、ネットワークノードの容易なコミッショニングを可能にする方法を提案することにある。
【００１０】
本発明の他の目的は、斯かるネットワークの管理コストを低いレベルに維持しながら、ネットワークの通信装置の構成フェーズを簡略化する方法及び通信装置を提案することにある。
【課題を解決するための手段】
【００１１】
このため、本発明の第１の態様によれば、通信ネットワークにおいて通信するよう構成される送受信機(transceiver)を有する通信装置を動作する方法であって、
（ａ１）前記通信装置は、第１の通信モードにより、ロールプロファイルの組から選択される選択ロールプロファイルを得るステップであって、前記選択ロールプロファイルは、オペレーションフェーズ(operation phase)の前記通信ネットワークにおける該通信装置のロールを規定する、ステップ、
を含む、構成フェーズ、並びに
（ｂ１）前記通信装置は、前記選択ロールプロファイルに依存して前記第１の通信モードにより該通信装置の送受信機が通信できないようにする又は該送受信機が通信することを維持するステップ、及び
（ｂ２）前記通信装置は、第２の通信モードを用いて前記通信ネットワークにおいて通信するステップ、
を含む、オペレーションフェーズ、
を有する方法が提案される。
【００１２】
結果として、第１の通信モードは、通信装置プロファイルが所定のタイプかどうかに依存してコミッショニングフェーズ後いくつかのノードについて非アクティブになる。例えば、通信装置がルータである場合、第１の通信モードは、アクティブのままであって、オペレーションフェーズにおいて用いられてもよいが、他の装置プロファイルについては、この第１の通信モードは、非アクティブとされるか、ましてはスイッチオフされる。
【００１３】
さらに、斯かる第１の通信モードは、より多くのエネルギを消費する及び／又は動作時より高価であり得る長距離通信モードであってもよい。例えば、ＧＰＲＳ、ＵＭＴＳ、ましてはＬＴＥの場合、全ての装置がこの通信モードを用いる場合には、通信装置及びネットワークコントローラ間で交換される所要のデータ量は、高い管理コストを示し得る。
【００１４】
例えば、本発明の一実施例において、通信装置のロールプロファイルが端末装置プロファイルである場合、送受信機の一部は、第１の通信モードで通信することが防止され得る。例えば、第１の通信モードにしたがって動作する送受信機の一部は、パワーオフされるか、又は論理的に非アクティブにされ得る。この第１の通信モードが課金(subscription)又は登録(registration)に基づく場合、課金を停止するか、登録をログオフすることができるであろう。
【００１５】
先の例と組み合わされてもよい、本発明のこの態様の他の変形例は、通信装置のロールプロファイルがルータプロファイルであると決定される場合、送受信機は、第１の通信モードにしたがって送受信機における通信を維持する。送受信機において第１の通信モードを維持することは、該第１の通信モードが過去に用いられなかった場合に該第１の通信モードをイネーブルにすることとも理解されるべきであることを留意されたい。次いで、オペレーションフェーズにおいて、ルータとして、前記通信装置は、第１の通信モードも用いてネットワークにおいて通信する。例えば、ルータは、一方の側では、第２の通信モードにより他の通信装置とリンクされ、他方の側では、第１の通信モードにより（例えばクラウドベースの）ネットワークコントローラとリンクされる。ネットワークコントローラは、ネットワークを構成すること、又はルータプロファイルを持つ通信装置を介してネットワークの他の通信装置に制御コマンドを送信することに携わってもよい。
【００１６】
構成フェーズは、ネットワークのコミッショニングプロセスに相当してもよい、ノード、ネットワークの一部、ましては全体的なネットワークの構成が再構成される又は更新される必要がある場合更新プロセスにも相当してもよいことを理解されたい。
【００１７】
本発明はまた、通信ネットワークにおいて通信するよう構成される送受信機を有する通信装置であって、前記送受信機は、構成フェーズにおいて、第１の通信モードにより、ロールプロファイルの組から選択される選択ロールプロファイルを得る、及びオペレーションフェーズにおいて、第２の通信モードを用いて前記通信ネットワークにおいて通信するよう構成され、前記通信装置は、オペレーションフェーズにおいて、前記通信ネットワークにおいて前記選択ロールプロファイルにしたがって作用する、及び該オペレーションフェーズにおいて、前記送受信機が前記選択ロールプロファイルに依存して前記第１の通信モードにより前記送受信機が通信できないようにする又は該送受信機が通信することを維持するプロセッサを有する、通信装置に関する。
【００１８】
斯くして、この態様の結果、通信装置は、自身の送受信機を、（第１の通信モードが無効にされなかった場合）第１の通信モードを介して直接ネットワークコントローラと通信するため、又はアクティブな第１の通信モードを持つ他の通信装置（該通信装置を介してネットワークコントローラに達することができる）が見つかるまで（ホップバイホップで(hop by hop)）ネットワーク内の他の通信装置と通信するため第２の通信モードを介して通信するため用いることができる。
【００１９】
本発明のさらに他の態様においては、本発明の上述した態様による通信装置を備え、該通信装置により制御される照明器具、並びに本発明の上述した態様による通信装置及びネットワークコントローラを有するネットワークが提案される。
【００２０】
本発明のこれらの及び他の態様は、以下で述べられる実施例を参照してより明らかになり、詳しく述べられるであろう。
【００２１】
本発明は、例示として、添付の図面を参照し以下より詳細に述べられる。
【図面の簡単な説明】
【００２２】
【図１】図１は、オペレーションフェーズにおける本発明の一実施例による通信ネットワークを表すブロック図である。
【図２】図２は、本発明の一実施例による通信装置を表すブロック図である。
【図３】図３は、構成フェーズにおける本発明の一実施例による通信ネットワークを表すブロック図である。
【図４】図４は、本発明の一実施例による通信装置を動作する方法を表すフローチャートである。
【発明を実施するための形態】
【００２３】
本発明は、図１の例における屋外照明無線ネットワーク等の通信ネットワークに関する。図１は、オペレーションフェーズにおける屋外照明無線ネットワークを示す。
【００２４】
ネットワーク１００において、複数のランプ１０１ａ−ｊが、道路２０１−２０４、例えば、街路又はハイウェイに沿って街灯柱に置かれる。各ランプ１０１ａ−ｊは、対応する通信装置１０２ａ−ｊにより制御される。これら通信装置は、ロールプロファイルの組から選択される異なるロールプロファイルを持ってもよい。このロールプロファイルの組は、予め決められてもよく、各ロールプロファイルは、ネットワーク内の通信装置のロール(role)及び／又は作用(behavior)を規定してもよい。
【００２５】
例えば、通信装置１０２ｂ−ｆ及び１０２ｈ−ｉは、この例においては、端末装置である。これは、これら通信装置が、ネットワークから受信される制御コマンドにしたがって動作する従局として作用することを意味してもよい。この例示的なネットワークにおいて、通信装置１０２ｂ−ｆ及び１０２ｈ−ｉはまた、ネットワークの構成に依存して、例えばルーティングスキーム又はブロードキャストスキームにしたがって、他の近隣通信装置に制御メッセージを中継することができてもよい。動作時、これら通信リンク１０３は、典型的には、例えばＩＥＥＥ８０２．１５．４に基づく通信モード等の低コスト、低範囲(low range)通信技術でもって確立されてもよい。斯かる通信モードの例は、さらにはＩＰｖ６、６ＬｏＷＰＡＮ及びＣｏＡＰに依拠してもよい。
【００２６】
他のプロファイルは、例えば、通信装置１０２ａ、１０２ｇ及び１０２ｊが、一種のブリッジノード(bridge node)として用いられる、境界ルータプロファイル又はルータプロファイルであってもよい。これは、一方の側では、オペレーションフェーズ中、これら通信装置が、上述したＩＥＥＥ８０２．１５．４通信モード等の第１の通信モードによりネットワークの他の通信装置と通信できることを意味する。他方の側では、これら通信装置は、例えば、ＧＰＲＳ、ＵＭＴＳ又はＬＴＥに基づく通信モード等の長距離、高速通信技術によりネットワークコントローラ１０５と通信リンク１０４を確立することができる。
【００２７】
これらロールは、以下説明されるコミッショニングフェーズ中に選択され、規定される。
【００２８】
本発明のこの第１の実施例によれば、図２に示されるように、本発明の第１の実施例による通信装置１０２は、ＣＰＵ２０１又はマイクロコントローラ及び送受信機２０２を有する屋外照明コントローラである。通信装置１０２はまた、ＧＰＳモジュール２０３、及び例えば通信装置１０２のロールプロファイルを含む構成情報を格納するメモリ２０４を有してもよい。本発明の一例において、通信装置を動作するためのマイクロコントローラ２０１により用いられるソフトウェアも、このメモリに格納されてもよい。通信装置１０２は、該通信装置が取り付けられるランプに給電する主電源により、ソーラーパネルにより、又はこの図には表されていない他のエネルギ手段により給電されてもよい。通信装置はまた、複数のアクチュエータ及びセンサ、例えば、照明制御用のＤＡＬＩインタフェース、照明センサ、温度センサ、又は一般には任意のセンサ又はアクチュエータを有してもよい。
【００２９】
送受信機２０２は、第１の通信モジュール２０２１、例えば、ＧＰＲＳモジュール２０２１、及び第２の通信モジュール２０２２、例えば、ＩＥＥＥ８０２．１５．４無線機を有してもよい。任意に、送受信機はまた、第１の通信モジュール２０２１を電源オン／オフすることができる可制御スイッチ２０２３を有してもよい。この実施例の変形例において、このスイッチ機能は、送受信機２０２に接続されるマイクロコントローラ２０１のソフトウェアにより動作されることに留意されたい。他の変形例においては、さらなる通信モジュールが、本発明の実施例で述べられるようなよりフレキシブルで費用効率の高い解決策を可能にするために含められる。
【００３０】
本発明の一実施例によれば、通信装置１０２のロールプロファイルに依存して、第１の送受信モジュール２０２１は、オペレーションフェーズにおいて非アクティブとされる。この非アクティブ化は、第１の送受信モジュールの電源をオフにすることにより、通信装置１０２において用いられる電力量を減らすことにより、及び第１の送受信モジュール２０２１のコンポーネントを増やすことにより実行され得る。他のやり方（代替例又は付加例）は、この第１の通信モードにリンクされるアカウントの解除(unsubscribe)又は登録抹消(unregister)であろう。例えば、ＧＰＲＳの場合、第１の通信モジュール２０２１に含まれるＳＩＭカードにリンクされるアカウントが、削除されてもよく、又は保留(put on hold)にされてもよい。
【００３１】
通信装置が構成フェーズ、例えば、コミッショニングフェーズに入る場合、第１の送受信モジュール２０２１は、ネットワークコントローラ１０５と直接更新又は構成を実行するためアクティブである。更新フェーズ中、第１の送受信モジュール２０２１はまた、ネットワークコントローラ１０５と直接更新又は構成を実行するため再度アクティブにされ得る。
【００３２】
例えば、コミッショニング中、図３に示されるように、通信装置１０２ａ−ｊの第１の通信モジュール（例えば、ＧＰＲＳモジュール）が、単一のコミッショニングプロセスを実行するため用いられる。（オペレーションフェーズが後続する）斯かるコミッショニングは、一例として図４のフローチャートを参照して詳述される。
【００３３】
本例によれば、プロセスは、ステップＳ３０１で始まる。ステップＳ３０１において、通信装置１０２ａ−ｊが、給電される、又は対応するランプ１０１ａ−ｊに取り付けられる。デフォルト設定により、通信装置１０２ａ−ｊは、構成フェーズ(CONFIG PHS)であるコミッショニングフェーズに直接入ってもよい。
【００３４】
ステップＳ３０２において、各通信装置は、第１の物理インタフェース又は通信モード（例えば、ＧＰＲＳ）上で通信リンク１０４を確立した後、ネットワークコントローラにコミッショニングリクエストを送信する。このコミッショニングリクエストは、対応するセキュリティプロトコル（例えば、ＤＴＬＳ、ＨＩＰ、ＩＰＳｅｃ又は他の標準／専用プロトコル）によって相互認証ハンドシェイクを行うことにより実行さてもよい。これは、それぞれの識別子の交換を含む。認証ハンドシェイクが成功した場合、ネットワークコントローラは、通信装置を検証したことになり、通信装置は、ネットワークコントローラを検証したことになる。
【００３５】
次いで、このステップＳ３０２が成功した場合、通信装置１０２ａ−ｊは、ＧＰＳモジュール２０３から得られるそれぞれの位置及び他の情報を転送することができる。この例の変形例において、通信装置は、ＧＰＳデータの代替例又は改善例(refinement)として、ＧＰＲＳ（又はＵＭＴＳ又はＬＴＥ）三辺測量（例えば基地局トライアングルに基づく）に基づいて自身の位置に関する詳細を得る。例えば、この他の情報は、第１の通信リンク品質、近隣の識別子又はカウントを含んでもよい。近隣通信装置についての情報は、例えば、第２の通信モードを用いることにより得られてもよい。
【００３６】
上述した情報に基づいて、ネットワークコントローラは、それぞれ対応する位置を持つ通信装置のマップを得る（基本的に、ネットワークコントローラは、市街地に分布する装置のマップを持ち、このマップを得られた通信装置のマップと比較してもよい）。次いで、ステップＳ３０３において、ネットワークコントローラは、第２の通信モードに基づく、オペレーションフェーズのためネットワークのデザインを準備する。一例において、ＩＰプロトコル及び８０２．１５．４が用いられ、斯くして、ネットワークは、６ＬｏＷＰＡＮネットワークの組になってもよい。それゆえ、ネットワークコントローラは、どのようにしてこれら通信装置を異なる６ＬｏＷＰＡＮネットワークに割り当てるか決定することができる。この決定は、これら通信装置の位置、トポロジ又はノード間のビルディングに基づいてスケーラビリティ又は性能上の理由等に基づくことができる。例えば、図１においては、３つの６ＬｏＷＰＡＮサブネットワーク１００ａ、１００ｇ及び１００ｊが表されている。
【００３７】
ステップＳ３０４において、ネットワークコントローラは、どのロールプロファイルがどの通信装置１０２ａ−ｊに割り当てられるかを決定し、次いで、ステップＳ３０５において、第１の通信モードにより各通信装置にこの割り当てられたロールを送信してもよい。例えば、図１に示されるように、通信装置１０２ａ、１０２ｇ及び１０２ｊが、対応するサブネットワーク１００ａ、１００ｇ及び１００ｊのための境界ルータの機能を果たすことが決定され得る。他の装置１０２ｂ−ｆ及び１０１ｈ−ｉは、端末装置である。この例の分かりやすさのため２つのプロファイルしかリストされていないことに留意されたい。しかしながら、より多くのロールプロファイルが、ネットワークの複雑さ又はトポロジに依存して必要とされてもよい。
【００３８】
上記の通り、ステップＳ３０５におけるネットワークコントローラは、例えば第１の通信インタフェース（ＧＰＲＳ）上でＣＴＣ１５．４装置のための８０２．１５．４／６ＬｏＷＰＡＮ構成パラメータを含むロールプロファイルをプッシュ配信する。例えば、各ＣＴＣ１５．４装置は、自身の８０２．１５．４インタフェースのための構成パラメータを持つメッセージをＣｉｔｙＴｏｕｃｈからＧＰＲＳ上で受信する。
【００３９】
典型的にはコミッショニングフェーズを終了する、ステップＳ３０６において、構成パラメータの受信により、通信装置は、第２の通信インタフェース（又は第２の通信モード）、例えば、ＩＥＥＥ８０２．１５．４のための自身のロールプロファイルを構成する。
【００４０】
・通信装置が端末装置の機能を果たす必要がある場合、該通信装置は、境界ルータに向けて通信する端末装置の機能を果たすため構成パラメータを受け取る。構成パラメータは、６ＬｏＷＰＡＮネットワークのためのネットワークキー、６ＬｏＷＰＡＮのためのＩＰアドレス又は境界ルータのＩＰアドレスを含むことができる。この場合、第１の通信モードは、スイッチオフされる又は非アクティブにされる。
【００４１】
・通信装置が境界ルータの機能を果たす必要がある場合、該通信装置は、境界ルータになる。構成パラメータは、６ＬｏＷＰＡＮネットワークのためのネットワークキー又はネットワーク内の装置のリストを含むことができる。この場合、第１の通信モードは、ルータとして動作するためアクティブに維持される。
【００４２】
特定の実施例において、上述の構成は、ネットワークコントローラがサブネットワークの性能を分析すること及びサブネットワークへのノードのより良い割り当てがより良い性能につながるかどうか、例えば、通信待ち時間又はホップカウントに依存して全てのノードに到達することができるかを分析することを用いる一時的な構成である。ネットワークコントローラが初期の（一時的な）構成は最適でないと見出した場合、ネットワークコントローラは、第２の通信インタフェースのための他のネットワーキングパラメータをプッシュ配信することができる。
【００４３】
ひとたび構成がなされると、通信装置は、斯くして、オペレーションフェーズに入る準備が整い、第１の通信インタフェースをスイッチオフすべき通信装置は、該インタフェースをスイッチオフする。いくつかの状況において、第１の通信インタフェースをアクティブに保つことが有用であり得るが、通信のため第２の通信インタフェースしか用いないことを留意されたい。例えば、第１の通信モードの非アクティブ化は、この通信モードによるデータの受信をアクティブに保つ一方、データの送信は防ぐことからなってもよい。
【００４４】
この例において、ステップＳ３０７においてオペレーションフェーズを開始することに伴い、通信装置１０２ａ、１０２ｇ及び１０２ｊは、対応するサブネットワーク１００ａ、１００ｇ及び１００ｊの通信装置をネットワークコントローラ１０５に接続することに携わる。
【００４５】
自身のロールに依存して、例えばルータプロファイルを持つ各通信装置は、ネットワークコントローラ１０５と通信するため第１の通信モードを用いることを継続してもよい（通信装置１０２ａ、１０２ｇ及び１０２ｊ）。全ての通信装置１０２ａ−ｊはまた、サブネットワーク１００ａ、１００ｇ及び１００ｊ内の通信装置間で通信するため、ネットワークコントローラにより構成されたＩＥＥＥ８０２．１５．４インタフェース等の第２の通信モードを用いることを開始（又は例えば近隣通信装置についての情報を得るためコミッショニングフェーズで用いられた場合には再開）してもよい。この場合、ステップＳ３０７において、端末装置１０２ｂ−ｆ及び１０２ｈ−ｉは、自身の第１の通信モジュールを非アクティブにしている。これら通信装置は、対応するルータ１０２ａ、１０２ｇ又は１０２ｊ上で第２の通信モード（例えば、ＩＥＥＥ８０２．１５．４／６ＬｏＷＰＡＮ）によりネットワークコントローラ１０５と通信をすることしかできない。
【００４６】
通信装置は、ステップＳ３０６の終わりにおいて対応する構成データを受信するとできるだけ適宜速やかに第１の通信モードについて自信の送受信機をスイッチオフしてもよいことに留意されたい。なぜなら、これは、コミッショニングフェーズを終了するからである。変形例において、通信装置は、同時に自身の第１通信モジュールを非アクティブにするためステップＳ３０７においてオペレーションフェーズ(OPRTN PHS)を開始することを指示する特定の信号を待っている。この解決策は、より複雑でより高価であるように思えるかもしれない。なぜなら、各通信装置において２つの異なる通信モジュールを必要とするからである。しかしながら、事実は、この解決策はより単純であるということである。なぜなら、コミッショニングプロセスが、第１の通信リンク上で自動的であるからである（後段のステップはバックエンドからなされ、より安価である）。この解決策は、過去のネットワークタイプと比較して通信装置及びコミッショニング毎に最適な平均コストを提供することを分析は示している。以下の表は、上記で提案した例の潜在的な通信スタックである。
【表１】
2020010339.tif 000002
【００４７】
このスタックは、ＩＰベースであり、通信装置のマネージメントのためＣｏＡＰプロトコルを用いる。ＣｏＡＰは、レストフルプロトコル(restful protocol)（ＨＴＴＰの"一種の"ライトバージョン）である。これらスタックは、ＧＰＲＳ及びＩＥＥＥ８０２．１５．４の上で移送されるネットワークコネクティビティのためＩＰｖ６に依拠する。ＩＥＥＥ８０２．１５．４の場合について、ＩＰｖ６が、ヘッダ等の圧縮のため６ＬｏＷＰＡＮにより適合される。さらに、ＤＴＬＳ（その使用がＣｏＡＰを保護するため必要とされるセキュリティプロトコル）が提供されてもよい。ＨＩＰ（ＩＰアドレスが何らかの理由（ローミング、ＩＰｖ４が用いられる場合ＮＡＴ）により変化してもセキュリティコネクションが安定したままであるように上位レイヤに安定識別子を提供するセキュリティプロトコル）を持つことも可能である。ＨＩＰによるセキュリティハンドシェイクはより効率的でもある。両フィーチャとも、ＤＴＬＳのみに基づく解決策と比較してより低いオーバヘッドにつながる。
【００４８】
ステップＳ３０８に表されているように、例えば、ひとたびネットワークのオペレーションがテストされると、該ネットワークは、再構成(RECONFIG PHS)されてもよい。ネットワークコントローラは、上述した実施例の変形例において以下のうちの一つ又はその他を実行することができる。
【００４９】
−  ネットワークの性能が良くない場合、新しい構成が、第２の通信モードを介して通信装置に向けてプッシュ配信され得る。新しい構成は、第１の通信モードの特定のアクティブ化コマンドの第２の通信モードを介した送信後各個別の通信装置の第１の通信リンクにより送られても良い。斯かる新しい構成により、通信装置は、自身のロールを再び変更する（端末装置又は境界ルータになる）ことができる。また、性能が非常に良好であることが起こり得、この場合、サブネットワークが拡張され得る又はルータの数がネットワークのロバスト性に悪影響を及ぼすことなく減らされてもよい。例えば、ネットワークコントローラは、多数の小さなサブネットワークを持つことを決定したかもしれないが、性能が期待よりも良好であるため、サブネットワークはより大きくなり、境界ルータの数は減らされ得る。
【００５０】
上述した実施例の変形例において、オペレーションテストは、第１の通信モードがノードにおいて非アクティブにされる前に実行される。斯くして、全て問題ない場合に、ネットワークコントローラは、このステージにおいてのみ端末装置の機能を果たす通信装置に"第１通信モード（例えばＧＰＲＳ）非アクティブ化コマンド"を送信してもよい。このコマンドは、これら通信装置のＧＰＲＳリンクを非アクティブにする。これを行う理由は、ＧＰＲＳリンク上の自動コミッショニング後の管理費コストを減らすことにある。
【００５１】
第１の通信リンクが非アクティブにされた装置が再びアクティブにされる必要があることも起こり得る。この場合、ネットワークコントローラマネジメントシステムはまた、第２の通信モード上で当該装置にアクティブ化コマンドを送ってもよい。
【００５２】
本発明は、照明ネットワークに適用できるのみならず、ホームオートメーションネットワーク、スマートメータネットワーク、センサネットワーク等任意のタイプのネットワークにも適用可能である。
【００５３】
上記例において、ネットワークは無線ネットワークであり、通信装置は無線装置であるが、本発明は、有線ネットワークにも適用可能であることに留意されたい。とりわけ、第２の通信モードが有線であることが可能である。例えば、電力線通信、又は（通信装置を給電するために用いられ得る）Ｅｔｈｅｒｎｅｔが可能である。
【００５４】
開示された実施例に対する他のバリエーションが、図面、開示及び添付の特許請求の範囲の研究から、特許請求の範囲の発明を実践する当業者によって理解され、実施され得るであろう。請求項において、"有する"という用語は他の要素又はステップを除外するものではなく、単数表記は複数を除外するものではない。単一のプロセッサ又は他のユニットが請求項に記載された幾つかのアイテムの機能を実現してもよい。特定の手段が相互に異なる従属請求項に記載されるという単なる事実は、これらの手段の組み合わせが有効に用いられ得ないことを示すものではない。
【００５５】
上記の記載は、本発明のある実施形態を詳細に説明している。しかしながら、本願明細書においてどんなに詳細に説明したとしても、本発明は多くの方法において実施されてもよく、それゆえ開示された実施形態に限定されないことに留意されたい。本発明のある特徴又は態様を記載する特定の用語の使用は、当該用語が、その用語が関連する本発明の任意の特徴又は態様の特有の特性を含むものに限定されるとここで再定義されることを意味するものであってはならないと留意されるべきである。
【００５６】
単一のユニット又は装置が請求項に記載された幾つかのアイテムの機能を実現してもよい。特定の手段が相互に異なる従属請求項に記載されるという単なる事実は、これらの手段の組み合わせが有効に用いられ得ないことを示すものではない。
【００５７】
種々の実施例によるネットワークシステムのコンポーネントの記載されたオペレーションは、コンピュータプログラムによるプログラムコードとして及び／又は専用ハードウェアとして実現され得る。コンピュータプログラムは、他のハードウェアと一緒に又は一部として供給される光学記憶媒体又は固体媒体等の適切な媒体に記憶／で頒布されてもよいが、インターネット又は他の有線若しくは無線通信システムを介する等他のフォームで頒布されてもよい。
【図１】
2020010339.tif 000003
【図２】
2020010339.tif 000004
【図３】
2020010339.tif 000005
【図４】
2020010339.tif 000006
【外国語明細書】
2020010339000001.pdf